(57)【要約】      （修正有）【課題】トランクの所有者は蓋部の開閉が可能で収納部に収納物を出し入れ容易とする一方、トランクの所有者以外の第三者が容易には蓋部を開けることが出来ないようにするトランクを提供する。【解決手段】箱部２と箱部２の開口を塞ぐ蓋部３を開閉可能に連結し、箱部２は四角形の底板と底板の周囲から立ち上がる４枚の側板２２を備えて構成され、蓋部３は、四角形の平板状の上板３１を備えて構成され、箱部２と蓋部３の接する外側の四隅に箱部２と蓋部３を結合する結合金具としての三方隅金７０を配置し、蓋部３に三方隅金７０をリベットで固定し、箱部２に三方隅金７０をタンパープルーフの螺子５で着脱自在に結合したトランク１である。【選択図】図１
0003197988.tif 000002
【実用新案登録請求の範囲】
【請求項１】
収納部を有する箱部と該箱部の開口を塞ぐ蓋部を開閉可能に連結して構成したトランクであって、前記箱部又は前記蓋部に前記箱部と前記蓋部を結合する結合金具を固定し、前記結合金具と固定されない前記蓋部又は前記箱部と前記結合金具をタンパープルーフの螺子で着脱自在に結合して構成したことを特徴とするトランク。
【請求項２】
前記箱部は、四角形の底板と該底板の周囲から立ち上がる４枚の側板を備えて構成され、前記蓋部は、四角形の平板状の上板を備えて構成され、前記結合金具は三方隅金で構成され、前記箱部と前記蓋部の接する外側の四隅に前記三方隅金を配置し、前記蓋部に前記三方隅金を固定し、前記箱部に前記三方隅金をタンパープルーフの螺子で着脱自在に結合したことを特徴とする請求項１に記載のトランク。
【請求項３】
前記箱部又は／及び前記蓋部には、トランクの外部と前記収納部を連通する開口窓を形成したことを特徴とする請求項１又は２に記載のトランク。
【請求項４】
前記箱部又は／及び前記蓋部には通気孔を形成したことを特徴とする請求項１から３のうちいずれか１項に記載のトランク。
【請求項５】
箱部の底板と側板及び側板同士は、断面Ｌ字型のＬ字型フレームの両先端部に形成された溝に、前記底板及び前記側板の側端部が挿入されて連結され、箱部の側板と蓋部の上板は、前記Ｌ字型フレームの溝に、前記側板と前記上板の側端部が挿入されて連結されていることを特徴とする請求項１から４のうちいずれか１項に記載のトランク。
【請求項６】
前記箱部は、四角形の底板と該底板の周囲から立ち上がる４枚の側板を備えて構成され、前記蓋部は、四角形の平板状の上板を備えて構成され、前記結合金具は枠状結合金具で構成され、前記箱部の開口の内周囲に前記枠状結合金具を固定し、タンパープルーフの螺子を前記蓋部の上板を貫通させて前記枠状結合金具に形成したインサートナットに挿入して、前記枠状結合金具に前記蓋部を着脱自在に結合したことを特徴とする請求項１に記載のトランク。
【請求項７】
前記箱部と前記蓋部間に防水用のパッキンを設置したことを特徴とする請求項６項に記載のトランク。
【考案の詳細な説明】
【技術分野】
【０００１】
本考案はトランクに関する。
【背景技術】
【０００２】
従来のトランクは、上部が開口し、内部に収納部を備えた箱部に該箱部と同形状の箱状又は略平板状の蓋部をヒンジで連結して開閉自在に構成していた（例えば、特許文献１参照。）。そして、箱部の開口は蓋部で覆われると共に、箱部及び蓋部を構成する板体には通孔等は設けられず、トランク内部の収納部は閉じられた空間であった。
【０００３】
又、従来のトランクは、箱部と蓋部を閉じた状態で保持するために、ヒンジと対向する側面にパチン錠が設けられて留められていた。そして、このパチン錠には蓋部の望まれない開口を防止するために鍵で開閉する錠を設けているものもあった。
【先行技術文献】
【特許文献】
【０００４】
【特許文献１】実開平５−３９３１９号公報
【考案の概要】
【考案が解決しようとする課題】
【０００５】
しかし、パチン錠を外して蓋を開けることは極めて容易であり、例えパチン錠に錠が設けられていたとしても、この錠は堅固ではなく、汎用のプラス又はマイナスのドライバー、錐等の工具で容易にこじ開けることが出来、トランクの所有者以外の第三者がトランクの蓋を開けて収納部から収納物を取り出すことが容易に可能であった。
【０００６】
そこで、本考案は、トランクの所有者は蓋部の開閉が可能で収納部に収納物を出し入れ容易とする一方、トランクの所有者以外の第三者が容易には蓋部を開けることが出来ないようにすることを目的とする。
【課題を解決するための手段】
【０００７】
上記の課題を解決するための手段としての考案は、収納部を有する箱部と該箱部の開口を塞ぐ蓋部を開閉可能に連結して構成したトランクであって、前記箱部又は前記蓋部に前記箱部と前記蓋部を結合する結合金具を固定し、前記結合金具と固定されない前記蓋部又は前記箱部と前記結合金具をタンパープルーフの螺子で着脱自在に結合して構成したトランクである。
【０００８】
又、上記トランクにおいて、前記箱部は、四角形の底板と該底板の周囲から立ち上がる４枚の側板を備えて構成され、前記蓋部は、四角形の平板状の上板を備えて構成され、前記結合金具は三方隅金で構成され、前記箱部と前記蓋部の接する外側の四隅に前記三方隅金を配置し、前記蓋部に前記三方隅金を固定し、前記箱部に前記三方隅金をタンパープルーフの螺子で着脱自在に結合したトランクである。
【０００９】
又、上記トランクにおいて、前記箱部又は／及び前記蓋部には、トランクの外部と前記収納部を連通する開口窓を形成したトランクである。 
【００１０】
又、上記トランクにおいて、前記箱部又は／及び前記蓋部には通気孔を形成したことを特徴とするトランクである。
【００１１】
又、上記トランクにおいて、箱部の底板と側板及び側板同士は、断面Ｌ字型のＬ字型フレームの両先端部に形成された溝に、前記底板及び前記側板の側端部が挿入されて連結され、箱部の側板と蓋部の上板は、前記Ｌ字型フレームの溝に、前記側板と前記上板の側端部が挿入されて連結されているトランクである。
【００１２】
又、上記トランクにおいて、前記箱部は、四角形の底板と該底板の周囲から立ち上がる４枚の側板を備えて構成され、前記蓋部は、四角形の平板状の上板を備えて構成され、前記結合金具は枠状結合金具で構成され、前記箱部の開口の内周囲に前記枠状結合金具を固定し、タンパープルーフの螺子を前記蓋部の上板を貫通させて前記枠状結合金具に形成したインサートナットに挿入して、前記枠状結合金具に前記蓋部を着脱自在に結合したトランクである。
【００１３】
又、上記トランクにおいて、前記箱部と前記蓋部間に防水用のパッキンを設置したトランクである。
【考案の効果】
【００１４】
以上のような考案によれば、トランクの所有者は蓋部の開閉が可能で収納部に収納物を出し入れすることが容易となると共に、トランクの所有者以外の第三者が容易に蓋部を開けることを防止することが可能となった。特に蓋部に固定された三方隅金を用いることで蓋部の開け閉めが極めて容易となった。
【００１５】
又、開口窓を形成することにより、トランクを開けずに収納した機器の操作が可能であり、収納した物が各種配線、各種管状体等と連結されていても収納することが出来、各種の機器を収納することが可能となった。
【００１６】
又、通気孔を形成することにより、トランク内に収納した物が熱を発する機器等である場合でもトランク内の換気が可能で、収納部内に熱を籠らせずに、機器への悪影響を防止することが可能となった。
【００１７】
又、箱部と蓋部間に防水用のパッキンを設置することにより、トランクに防水性を持たせることが可能となった。
【図面の簡単な説明】
【００１８】
【図１】本考案第一実施形態斜視図
【図２】本考案第一実施形態分解斜視図
【図３】図１Ａ−Ａ断面図
【図４】本考案第二実施形態斜視図
【図５】本考案第三実施形態斜視図
【図６】本考案第四実施形態斜視図
【図７】本考案第四実施形態分解斜視図
【図８】図６Ｂ−Ｂ断面図
【考案を実施するための形態】
【００１９】
以下、本考案の実施の形態を図を参照して説明する。本考案は、箱部２と箱部２の開口２０を塞ぐ蓋部３をタンパープルーフの螺子５で結合して連結したトランク１である。又、箱部２と箱部２の開口２０を塞ぐ蓋部３を結合金具で連結して構成したトランク１であり、箱部２又は蓋部３に結合金具を固定し、結合金具と固定されない蓋部３又は箱部２に結合金具をタンパープルーフの螺子５で結合して構成したトランクである。
【００２０】
図１及び図２に示すように、箱部２は、内部に被収納物を収納するための収納部２００を有する、上部開口の長方体の箱状に構成されている。箱部２は、四角形の底板２１と底板２１の周囲から立ち上がる４枚の四角形の側板２２を備え、底板２１と側板２２及び側板２２同士はＬ字型フレーム６で連結されている。
【００２１】
図３に示すように、Ｌ字型フレーム６は断面略Ｌ字型で略同形状の外側面６０１と内側面６０２がリブ６０６により連結固定され、Ｌ字の両先端部に内側面先端部６８と外側面先端部６９間に溝６１が形成されている。
【００２２】
そして、底板２１及び側板２２の側端部がＬ字型フレーム６の溝６１に挿入されると共に、溝６１を形成する内側面先端部６８と外側面先端部６９のうち内側面先端部６８に形成したねじ孔６８１と溝６１に挿入される底板２１及び側板２２の側端部に形成したねじ孔２２９に内螺子６６を挿入して、底板２１とＬ字型フレーム６及び側板２２とＬ字型フレーム６は夫々固定されている。
【００２３】
更に、底板２１と２枚の側板２２が隣接する隅部の外部には三方隅金７が設置され、底板２１及び２枚の側板２２と三方隅金７とは夫々リベット４で固定されて、箱部２は形成されている。
【００２４】
三方隅金７は相互に直交する３枚の平面状の片部７１で構成され、夫々の片部７１の当接部分及び頂点部は曲面状に形成されている。片部７１は夫々底板２１又は側板２２に対向させ、図３によく示すように、片部７１に形成した通孔７６に対応する位置に、底板２１及び側板２２にも通孔２１２を形成し、両通孔７６，２１２にリベット４等の留め具を挿通させて、底板２１及び２枚の側板２２を連結固定している。
【００２５】
蓋部３は、四角形の平板状の上板３１で構成され、上板３１の周囲の四辺には箱部２方向に曲折したＬ字型フレーム６が固定されている。図３に示すように、上板３１はＬ字型フレーム６の溝６１に側端部が挿入されると共に、内側面先端部６８に形成したねじ孔６８１と溝６１に挿入される上板３１の側端部に形成したねじ孔３１９に内螺子６６を挿入して、上板３１とＬ字型フレーム６は固定されている。
【００２６】
又、蓋部３の四隅に、箱部２と蓋部３を連結するための結合金具としての三方隅金７０を設置し、片部７１に形成した通孔７６に対応する位置に、上板３１にも通孔２１２を形成し、両通孔７６，２１２にリベット４等の留め具を挿通させて、蓋部３に三方隅金７０を固定している。
【００２７】
箱部２と蓋部３が連結されてトランク１が閉じた状態では、箱部２と蓋部３はＬ字型フレーム６及び三方隅金７０で連結されている。詳述すると、図３によく示すように、箱部２と蓋部３は、箱部２の側板２２の上端部が、蓋部３に固定されたＬ字型フレーム６の溝６１に挿入され、Ｌ字型フレーム６で固定されず連結されている。更に、箱部２と蓋部３は、蓋部３に固定された三方隅金７０が箱部２と蓋部３の接するトランク外側の四隅に配置され、箱部２と三方隅金７０は、タンパープルーフの螺子５を、片部７１に形成した通孔７７に対応する位置に形成した側板２２の螺子孔２２３と側板２２の内側に螺子孔２２３と連通させて設けたインサートナット２２４に挿入して着脱自在に結合している。
【００２８】
このような構成により、箱部２の側板２２の上端部が、蓋部３に固定されたＬ字型フレーム６の溝６１に挿脱自在であり、タンパープルーフの螺子５の着脱により、蓋部３と箱部２が着脱自在となり、箱部２が開閉自在となっている。
【００２９】
トランク１、具体的には箱部２の側板２２には、トランク１の運搬時に把持する取手１１を設けている。又、図４に示すように、トランク１０には、取手１１を設けた側板２２と対向する側板２２又は当該側板２２上の三方隅金７、７０には、トランク１０及び収納物の保護等のために支持脚１１０を設けることとしてもよい。又、図５に示すように、トランク１９には、取手１１を設けた側板２２と対向する側板２２にキャスター１２を設けることとしてもよい。キャスター１２は側板２２の周端部に４個設置する構成でもよいが、底板２１側に２個設置し、蓋部３側には支持脚１１０を設ける構成としてもよい。キャスター１２を底板２１側に２個設ける場合には、底板２１に引手１３を設けることとしてもよく、更に、引手１３は伸縮式とすることが好ましい。
【００３０】
又、図４に示すように、トランク１０、具体的には箱部２の底板２１や側板２２には通気孔３８を形成することとしてもよい。このような構成により、トランク１０内に収納した物が熱を発する機器等である場合でもトランク内の換気が可能で、収納部内に熱を籠らせずに、機器への悪影響を防止することが出来る。
【００３１】
又、トランク１０、具体的には蓋部３の上板３１には、トランク１０の外部と収納部２００を連通する開口窓３９を形成することとしてもよい。開口窓３９は、トランク１０内に収納した物をトランク１０を開けずに取扱い可能とするものである。例えば、トランク１０内に収納した物が操作パネルが形成された機器である場合、当該機器をトランク１０内に収納した際に操作パネルに対応する位置に開口窓３９を形成することにより、トランク１０を開けずに操作パネルの操作、即ち機器の操作が可能である。又、開口窓３９は、トランク１０内に収納した物と連結されたケーブル等の各種配線、各種流体が流れるホース等の管状体等を挿入可能とするものである。このような構成により、各種の機器を収納することが可能となっている。尚、開口窓３９は箱部２の底板２１や側板２２に形成することとしてもよく、トランク１０に１個でもよいが複数個設けることとしてもよい。
【００３２】
トランク１を開ける場合、図２及び図３からよく理解されるが、蓋部３の上板３１に固定された三方隅金７０と側板２２を連結しているタンパープルーフの螺子５を当該螺子５に対応するタンパープルーフ螺子対応ドライバーを用いて取り外し、三方隅金７０が蓋部３に固定された状態で、蓋部３を上方に移動させて、蓋部３に固定されたＬ字型フレーム６の溝６１から側板２２の上端部を脱出させて行う。
【００３３】
トランク１を閉める場合、蓋部３の上板３１に固定されたＬ字型フレーム６の溝６１に箱部２の側板２２の上端部を挿入すると共に、蓋部３の上板３１に固定された三方隅金７０を箱部２と蓋部３の接する四隅に配置し、側板２２と三方隅金７０をタンパープルーフの螺子５で連結する。
【００３４】
箱部２の側板２２の上端部はＬ字型フレーム６の溝６１に挿入されて内側先端部６８と外側先端部６９に挟持されているが固定されず、溝６１に挿脱自在となっており、蓋部３に固定された三方隅金７０と箱部２はタンパープルーフの螺子５で着脱自在に結合しているので、箱部２と蓋部３は三方隅金７０及びＬ字型フレーム６で連結されているが、着脱自在となっている。
【００３５】
尚、箱部２と蓋部３を連結するための結合金具としては三方隅金７０に限定されず、図示はしないが、所定数の平板状又はＬ字状の結合金具を用いる構成としてもよい。この場合、箱部２又は蓋部３の一方に、トランクを閉じた状態で箱部２と蓋部３に跨るように結合金具をリベット等で固定し、結合金具と固定されない蓋部３又は箱部２に結合金具をタンパープルーフの螺子で結合する構成とすることが出来る。
【００３６】
又、図６から図８に示すように、トランク１００は、箱部と蓋部を連結するための結合金具としてトランクの外部に設置する三方隅金ではなく、トランク内部に設置するナット部を備えた結合金具、具体的には枠状結合金具８５を使用して、直接箱部８と蓋部９とをタンパープルーフの螺子５で結合する構成としてもよい。
【００３７】
箱部８は、内部に収納部８００を有する、上部開口の長方体の箱状に構成されている。箱部８は、四角形の底板８０１と底板８０１の周囲から立ち上がる４枚の四角形の側板８０を備え、底板８０１と側板８０及び側板８０同士は溶接等により接合されている。
【００３８】
箱部８は、側板８０の上端から内方へ曲折した曲折平坦部８１を形成し、更に曲折平坦部８１の先端から上方へ曲折して箱部８の開口端となる曲折垂直部８２を形成する。曲折垂直部８２には箱部８の四角形状の開口の周囲に嵌る枠状結合金具８５を溶接等により固定する。枠状結合金具８５は曲折垂直部８２に当接させる固定部８５１から内方へ曲折したナット設置部８５２を形成し、ナット設置部８５２に通孔８５３を設けると共に通孔８５３と連通するインサートナット８５８を形成している。
【００３９】
蓋部９は、四角形の平板状の上板９０の全周端から下方に向けて曲折垂下部９１を形成し、更に、曲折垂下部９１の先端から内方へ曲折して曲折対向部９２を形成する。蓋部９にはインサートナット８５８に対応する位置に通孔９０１を設けている。
【００４０】
箱部８の曲折平坦部８１の蓋部９との対向面８１０又は蓋部９の曲折対向部９２の箱部８との対向面９２０には密閉用のパッキン９９を設置している。又、蓋部９を箱部８に取り付けるためのタンパープルーフの螺子５はゴムワッシャー９８を介在させている。このような構成とすることで、防水性を持たせることが可能となっている。
【００４１】
箱部８の曲折平坦部８１と蓋部９の曲折対向部９２とをパッキン９９を介在させて対向させて、蓋部９を箱部８にかぶせて設置し、タンパープルーフの螺子５を蓋部９の上板９０に形成した通孔９０１を貫通させてインサートナット８５８に挿入して、箱部８と蓋部９を着脱自在に結合する構成としている。
【００４２】
尚、図示はしないが、図６から図８に示すようなトランク１００に、上述のキャスター、引手、通気孔、開口窓を設ける構成とすることも出来る。更に、本考案は、上記実施の形態に限定されず、上記の実施の形態を適宜組み合わせて構成したものも含むものである。
【００４３】
本考案のトランクは、ビジネス用、旅行用にも用いることが出来るが、各種機器を収納することにより、機器の保管、運搬や設置にも好適に用いることが出来る。
【産業上の利用可能性】
【００４４】
本考案のトランクは、ビジネス用、旅行用にも用いることが出来るが、各種機器を収納することにより、機器の保管、運搬や設置にも用いることが出来る。特に、通気孔を設けることにより、熱に弱い機器を収納する用途にも適用出来、開口窓を設けることにより、配線や配管が必要な機器を収納する用途にも適用出来る。
【符号の説明】
【００４５】
１      トランク
１０    トランク
１９    トランク
１００  トランク
１１    取手 
１１０  支持脚
１２    キャスター
１３    引手
２      箱部
２１    底板
２２    側板
２００  収納部
３      蓋部
３１    上板
３８    通気孔
３９    開口窓
４      リベット
５ タンパープルーフの螺子
６      Ｌ字型フレーム
６１    溝
７      三方隅金
７０    結合金具としての三方隅金
７１    片部
８      箱部
８５    枠状結合金具
９      蓋部
９８    ゴムワッシャー
９９    パッキン
【図１】
0003197988.tif 000003
【図２】
0003197988.tif 000004
【図３】
0003197988.tif 000005
【図４】
0003197988.tif 000006
【図５】
0003197988.tif 000007
【図６】
0003197988.tif 000008
【図７】
0003197988.tif 000009
【図８】
0003197988.tif 000010